(57)【要約】【課題】リヤカバーの泥土浸入を防いで作業効率等の低下を来さない耕耘作業機を提供すること。【解決手段】耕耘軸２２回りに回転する耕耘爪２３，２３…の後方を覆うリヤカバー２９の下端部に板金材の折り返しによる空間部３０ｂ，３２ｂ，３５ｂを形成し、この空間部３０ｂ，３２ｂ，３５ｂに隙間材４１を入れ、少なくとも空間部３０ｂ，３２ｂ，３５ｂ入口を塞ぐよう構成する。また、前記隙間材４１は、その比重がリヤカバー２９の下端部構成部材の比重よりも小さい素材とする。【選択図】図３
2020103193.tif 000002
【特許請求の範囲】
【請求項１】
耕耘軸（２２）回りに回転する耕耘爪（２３，２３・・）の後方を覆うリヤカバー（２９）の下端部に板金材の折り返しによる空間部（３０ｂ，３２ｂ，３５ｂ）を形成し、前記空間部（３０ｂ，３２ｂ，３５ｂ）に隙間材（４１）を入れ、少なくとも空間部（３０ｂ，３２ｂ，３５ｂ）入口を塞ぐよう構成したことを特徴とする耕耘作業機。
【請求項２】
前記隙間材（４１）は、その比重がリヤカバー（２９）の下端部構成部材の比重よりも小さい素材とする請求項１に記載の耕耘作業機。
【請求項３】
前記リヤカバー（２９）をリヤカバー本体部（３０）、コーナーカバー（３２）及びセンターカバー（３５）によって構成し、これらリヤカバー本体部（３０）、コーナーカバー（３２）及びセンターカバー（３５）のそれぞれに形成された空間部（３０ｂ，３２ｂ，３５ｂ）に隙間材（４１）を入れる構成とした請求項１又は請求項２に記載の耕耘作業機。
【発明の詳細な説明】
【技術分野】
【０００１】
本発明は、トラクタの後部に装着されて圃場を耕耘する耕耘作業機に関し、特にリヤカバーの構成に関する。
【背景技術】
【０００２】
従来、回転する耕耘爪の外周上面を覆う耕耘カバーに、後面を覆うリヤカバーを回動自在に設けるが、リヤカバー下端縁は耕耘土壌面に圧接して均平できる構成としている（特許文献１）。また、リヤカバーの下端部は地面を均す形状にするために鉄板が折り曲げられて内部に空洞が形成されている（特許文献２）。
【先行技術文献】
【特許文献】
【０００３】
【特許文献１】特開平１０−１０８５０２号公報
【特許文献２】特開２０１２−２００２２４号公報
【発明の概要】
【発明が解決しようとする課題】
【０００４】
ところで、特許文献２の構成において、前記空洞は製造時の塗装工程のため開口を要し完全に塞がれることはない構造となっている。このため代掻作業中開放部から泥土が入り込むとリヤカバーの重量が増大して過剰に泥土を引きずって、土壌均平跡を乱し、作業負荷の増大による燃料消費量の増加と作業効率の低下を惹き起こす。
【０００５】
この発明は、上記に鑑み、作業効率等の低下を防止する耕耘作業機を提供することを目的とする。
【課題を解決するための手段】
【０００６】
この発明は、上記に鑑みて次のような技術的手段を講じた。
【０００７】
請求項１に記載の発明は、耕耘軸２２回りに回転する耕耘爪２３，２３…の後方を覆うリヤカバー２９の下端部に板金材の折り返しによる空間部３０ｂ，３２ｂ，３５ｂを形成し、この空間部３０ｂ，３２ｂ，３５ｂに隙間材４１を入れ、少なくとも空間部３０ｂ，３２ｂ，３５ｂ入口を塞ぐよう構成する。
【０００８】
請求項２に記載の発明は、請求項１に記載の発明において、前記隙間材４１は、その比重がリヤカバー２９の下端部構成部材の比重よりも小さい素材とする。
【０００９】
請求項３に記載の発明は、請求項１又は請求項２に記載の発明において、リヤカバー２９をリヤカバー本体部３０、コーナーカバー３２及びセンターカバー３５によって構成し、これらリヤカバー本体部３０、コーナーカバー３２及びセンターカバー３５のそれぞれに形成された空間部３０ｂ，３２ｂ，３５ｂに隙間材４１を入れる構成とした。
【発明の効果】
【００１０】
本発明によると、少なくとも空間部入口を隙間材４１で塞ぐことにより、泥土の浸入を防止し、泥土を引きずって均平跡を乱したり、泥土除去作業といったリヤカバー３０重量過大に伴う作業効率の低下要因を解消できる。
【図面の簡単な説明】
【００１１】
【図１】耕耘作業機を装着したトラクタの側面図である。
【図２】耕耘作業機の斜視図である。
【図３】リヤカバー本体部、コーナーカバーの斜視図である。
【図４】（Ａ）リヤカバー補強フレームの代替構成を示す背面図、（Ｂ）側断面図、（Ｃ）拡大平面図である。
【図５】（Ａ）（Ｂ）センターカバー部の斜視図である。
【発明を実施するための形態】
【００１２】
本発明の実施形態を図面に基づき説明する。
【００１３】
トラクタ車体１は、左右の前輪２と、後輪３とを有し、前部のボンネット４内に搭載のエンジン５によって駆動走行される。
【００１４】
なお、前部のエンジン５から順にクラッチハウジング６、ミッションケース７、リアミッションケース８等を一体的に連結して車体１を構成し、ミッションケース７上部の搭乗ステップ９の左右中央前側に立設するステアリングポスト１０に前輪２を操舵連動するステアリングハンドル１１を設け、この搭乗ステップ９の後部側に、左右フェンダ１２及び左右フェンダ１２を挟んで運転席（図示せず）等を配置している。
【００１５】
又、車体１後端部には、耕耘作業機１３を連結するための三点リンク機構１４を設けている。なお、油圧シリンダ１５の油圧力によって上下回動されるリフトアーム１６を有し、更には、この連結される耕耘作業機１３を伝動するための動力取出軸１７を有する。
【００１６】
耕耘作業機１３は、サイドドライブ形態であり、中央上部の主伝動ケース１８左右に水平のロータリパイプ１９Ｌ，１９Ｒを設け、左側のロータリパイプ１９Ｌには伝動チェンケース２０を、右側のロータリパイプ１９Ｒの端部には支持プレート２１をそれぞれ垂下状態で連結している。なお、前記主伝動ケース１８の内部伝動機構から左側ロータリパイプ１９内伝動軸を経由して伝動チェンケース２０に動力伝達可能に構成している。
【００１７】
前記伝動チェンケース２０と支持プレート２１との間に水平状態の耕耘軸２２を支架する。この耕耘軸２２は、伝動チェンケース２０側から内装のチェン伝動機構を経由した駆動力によって回転駆動され、周面の耕耘爪２３，２３…で土壌を耕耘する構成である。
【００１８】
前記左右のロータリパイプ１９Ｌ，１９Ｒの主伝動ケース１８の近傍には前記三点リンク機構１４のうちロアリンク１４ａを連結できる左右連結プレート２４Ｌ，２４Ｒを備え、また主伝動ケース１８の上面には三点リンク機構１４のトップリンク１４ｂを連結するためのブラケット部材２５を備える。
【００１９】
上記耕耘爪２３，２３…の回転軌跡の上面側にこの回転軌跡の略沿わせて耕耘カバー２６を設け、左右端の耕耘爪２３，２３…の側面には主側面カバー２７とこの主側面カバー２７の後部側に着脱自在の副側面カバー２８を設けている。さらに、上記耕耘カバー２６の後部に耕耘爪２３，２３…の後面を覆うリヤカバー２９を設ける。リヤカバー２９はその本体部３０を前記耕耘カバー２６の後部に上下回動自在に連結する構成としている。
【００２０】
前記耕耘カバー２６は、耕耘軸２２回りに回動調整自在に構成されており、標準的な耕耘作業のほか畝立作業、代掻作業を行うときには適正な位置（角度）に調整ハンドル２９によって調整できる。
【００２１】
前記リヤカバー本体部３０の左右の下隅部に切欠部３１，３１を形成し、尾輪作業の際に尾輪（図示せず）を前に寄せて残耕を少なくし、又は片培土作業を行うときに利用できる構成とし、また標準の耕耘作業を行うときは、切欠部３１，３１を覆うようにコーナーカバー３２，３２を装着できる構成としている。なお、コーナーカバー３２，３２には折畳み可能に跡消カバー３３，３３を設ける。これをコーナーカバー３２に対して延長状に開くと隣接の耕耘跡との段差を少なくできる。
【００２２】
さらに、リヤカバー本体部３０の左右中央に逆Ｖ型の切欠部３４を形成し、畝立器を装着できる形状としている。そして、標準耕耘作業の場合にはこの切欠部３４を覆うセンターカバー３５を装着できる。
【００２３】
リヤカバー本体部３０の背面には一対に支持ブラケット３６，３６を有し、耕耘カバー２６側のブラケット３７，３７との間に、夫々にスプリング３８，３８を巻装した加圧ロッド３９，３９を設け、リヤカバー２９を下方に向けて加圧している。そして、リヤカバー２９側のブラケット３６，３６は、リヤカバー本体部３０の背面において上部から下部に及ぶ断面コ型の補強フレーム４０，４０に連結されている。
【００２４】
したがって、標準耕耘を行う場合にはリヤカバー本体部３０にコーナーカバー３２とセンターカバー３５を取付けたリヤカバー２９構成として耕耘作業を行うものとなる。
【００２５】
ところで、前記リヤカバー本体部３０、コーナーカバー３２及びセンターカバー３５はそれぞれ適宜形状の板金材を折曲形成するものであるが、下端部は圃場面に接して均平化に供するものであるから、リヤカバー本体部３０、コーナーカバー３２及びセンターカバー３５の各接地均平部３０ａ，３２ａ，３５ａは板金材を折り返して内部に空間部３０ｂ，３２ｂ，３５ｂを有する形状である。さらに、この空間部３０ｂ，３２ｂ，３５ｂのうち、リヤカバー本体部３０の空間部３０ｂに折曲内縁に沿って補強用パイプ３０ｃを固着し、コーナーカバー３２とセンターカバー３５の空間部３２ｂ，３５ｂの折曲内縁に沿って補強用ロッド３２ｃ，３５ｃを固着している。そして、補強用パイプ３０ｃに対して補強用ロッド３２ｃ，３５ｃを挿入・離反自在に構成している。
【００２６】
そして、これらの空間部３０ｂ，３２ｂ、３５ｂの入口に隙間材４１を詰め又は空間部３０ｂ，３２ｂ、３５ｂ全体に渡って隙間材４１を充填することによって、少なくとも空間部入口を塞いでいる。隙間材４１の例としては発泡スチロール・発泡ウレタン・ウレタンスポンジ等の発泡体や合成樹脂材あるいはゴム等がある。もって耕耘作業や代掻作業中に泥土の空間部３０ｂ，３２ｂ，３５ｂ内への浸入を防止する。泥土浸入によってリヤカバー３０重量が過大となることで均平跡を乱したり、泥土除去作業を余儀なくされて作業効率を低下する欠陥を解消できる。なお、隙間材４１は、リヤカバー本体部３０、コーナーカバー３２及びセンターカバー３５の各接地均平部３０ａ，３２ａ，３５ａを形成する板金材よりも比重の軽い素材とすると、左程にリヤカバー２９の重量増加を来さず作業性を損なわない。
【００２７】
図４はリヤカバー本体部３０の背面の断面コ型の補強フレーム４０の代替構成である。この補強フレーム４０に代替して、一対の平板４２ａ，４２ａを並行してリヤカバー本体部３０背面に溶接固定した補強フレーム４２とし、リヤカバー側支持ブラケット３６の代わりに、左右対のブラケット部材４３ａ，４３ａを２本の並行するパイプ部材４３ｂ，４３ｂによって連結固定したブラケット４３とし、上記補強フレーム４２に嵌合してボルト４４，４４止めする構成である。このように、平板を並行させた補強フレーム４２の構成とすることによって、コストダウンとなる。
【００２８】
図５は、リヤカバー本体部３０の前記補強用パイプ３０ｃの泥土浸入防止構成を示している。すなわち、コーナーカバー３２又はセンターカバー３５を取り外して作業するときは、露出する補強用パイプ３０ｃ端にキャップ４５を装着する構成としている。このように構成すると補強用パイプ３０ｃの開口部からの泥土浸入を防止できる。そして、コーナーカバー３２又はセンターカバー３５を取り付けて作業するときには、キャップ４５を取り外してブラケット３６，４３等耕耘作業機の適所に設けた孔部４６に差し込んで保管できるよう構成する。
【符号の説明】
【００２９】
２２  耕耘軸
２３  耕耘爪
２９  リヤカバー２９
３０  リヤカバー本体部
３０ｂ  空間部
３２  コーナーカバー
３２ｂ  空間部
３５  センターカバー
３５ｂ  空間部
４１  隙間材
【図１】
2020103193.tif 000003
【図２】
2020103193.tif 000004
【図３】
2020103193.tif 000005
【図４】
2020103193.tif 000006
【図５】
2020103193.tif 000007